(57)【要約】【課題】証紙部材を引き出した状態で前扉を閉じる動作を行っても、証紙部材を閉位置に保持することができる遊技機を提供すること。【解決手段】遊技機は、遊技盤と、遊技盤を保持するための前枠と、保持枠としての前枠の前面側に開閉可能に取り付けられた前扉と、遊技盤に取り付けられる右コーナー飾りに設けられ、証紙を貼るための証紙部材としての証紙台３５と、この証紙台３５を回動自在に支持する証紙台支持部および飾り側支持部とを含んでいる。証紙台３５は、貼着面が右コーナー飾りの前面に沿う閉位置およびこの閉位置よりも正面側に変位可能に設けられている。証紙台３５の上端面には、第１係合突起６２が形成されている。証紙台３５が閉位置にある状態では、第１係合突起６２が、右区画部材３７の下端面に形成された係合凹部と係合する。【選択図】図１０
2014131610.tif 000002
【特許請求の範囲】
【請求項１】
遊技盤と、
前記遊技盤を保持する保持枠と、
前記保持枠の前面側に開閉可能に取り付けられた前扉と、
前記遊技盤に設けられ、証紙を貼るための証紙部材と、
前記証紙部材を回動自在に支持する証紙部材支持部と、
前記閉位置にある前記証紙部材を前記閉位置でロックするロック構造とを含み、
前記証紙部材は、前記証紙部材の前面が前記遊技盤の前面に沿う閉位置と、この閉位置よりも正面側との間で変位可能に設けられており、
前記前扉の前記保持枠に対する閉動作によって、前記閉位置よりも正面側に位置している前記証紙部材に前記前扉が当接することにより、前記証紙部材が前記閉位置に移動されかつ当該閉位置にロックされる、遊技機。
【発明の詳細な説明】
【技術分野】
【０００１】
本発明は、パチンコ機などの遊技機に関する。
【背景技術】
【０００２】
パチンコ機は、外枠と、その外枠の正面側に開閉可能に取り付けられ、遊技盤を保持する保持枠と、保持枠の左側辺まわりに正面側を覆うように、横開き可能に取り付けられた前扉とを備えている。
このようなパチンコ機では、国家公安委員会での型式検定で適合評価を受けていることを明示するため、遊技盤の前面の所定部分に証紙（そのパチンコ機の機械番号等が記載された証紙）を付す必要がある。近年では、遊技盤の右下隅に証紙台を設け、この証紙台の前面に証紙を貼着する構成が知られている。
【０００３】
このような証紙台として、所定の鉛直軸線周りに回動可能に設けた証紙台が知られている（たとえば特許文献１）。証紙台は遊技盤の前面に沿う姿勢と、正面側に引き出された姿勢との間で変位可能に設けられている。
【先行技術文献】
【特許文献】
【０００４】
【特許文献１】特開２００３−６２３０９号公報
【発明の開示】
【発明が解決しようとする課題】
【０００５】
特許文献１に記載のパチンコ機では、証紙台を正面側に引き出した状態では、証紙台が前扉に干渉する。そのため、証紙台を引き出した状態から前扉を保持枠に対して閉じる際には、まず、引出し状態にある証紙台を閉じ、証紙台が閉じた後に前扉の閉動作を行う必要がある。
しかしながら、引出し状態にある証紙部材（証紙台）をいちいち閉じるのは面倒である。そのため、証紙部材に対して個別の閉動作を行うことなく、前扉を保持枠に対して閉じることができることが望ましい。
【０００６】
この発明は、このような背景の下でなされたものであり、証紙部材を引き出した状態で前扉を閉じる動作を行っても、証紙部材を閉位置に保持することができる遊技機を提供することを目的とする。
【課題を解決するための手段】
【０００７】
前記の目的を達成するための請求項１記載の発明は、遊技盤（５）と、前記遊技盤を保持する保持枠（３）と、前記保持枠の前面側に開閉可能に取り付けられた前扉（６）と、前記遊技盤に設けられ、証紙を貼るための証紙部材（３５）と、前記証紙部材を回動自在に支持する証紙部材支持部（３９）、前記閉位置にある前記証紙部材を前記閉位置でロックするロック構造（６２，６５）とを含み、前記証紙部材は、前記証紙部材の前面（５６）が前記遊技盤の前面に沿う閉位置と、この閉位置よりも正面側との間で変位可能に設けられており、前記前扉の前記保持枠に対する閉動作によって、前記閉位置よりも正面側に位置している前記証紙部材に前記前扉が当接することにより、前記証紙部材が前記閉位置に移動されかつ当該閉位置にロックされる、遊技機（１）を提供する。
【０００８】
なお、括弧内の数字またはギリシャ文字は、後述の実施形態における対応構成要素等を表すが、特許請求の範囲を実施形態に限定する趣旨ではない。
【発明の効果】
【０００９】
証紙部材を引き出した状態で前扉を閉じる動作を行っても、証紙部材を閉位置に保持することができる。
【図面の簡単な説明】
【００１０】
【図１】本発明の一実施形態に係る遊技機主要部の外観構成を示す斜視図である。
【図２】図１に示す遊技機主要部の背面図である。
【図３】図１に示す遊技機主要部の右側面図である。
【図４】図１に示す遊技機主要部の左側面図である。
【図５】図１に示す遊技機主要部の平面図である。
【図６Ａ】図１に示す遊技機主要部から前扉を取り除いた状態を示す正面図である。
【図６Ｂ】図６Ａに示す右コーナー飾りの正面図である。
【図６Ｃ】図６Ａに示す右コーナー飾りの要部背面図である。
【図６Ｄ】図６Ｃに示す切断面線Ｄ-Ｄから見た断面図である。
【図７】図６Ａに示す証紙台および図６Ｂに示す証紙台支持部の拡大正面図である。
【図８】図７の切断面線VIII-VIIIから見た断面図である。
【図９Ａ】証紙台支持部の斜視図である（その１）。
【図９Ｂ】証紙台支持部の斜視図である（その２）。
【図１０】図６Ａに示す証紙台の斜視図である。
【図１１】図６Ａに示す証紙台の背面図である。
【図１２】図６Ａに示す証紙台の底面図である。
【図１３】証紙台が閉位置にあるときの証紙台の周辺の拡大斜視図である。
【図１４】図１３の切断面線XIV-XIVから見た断面図である。
【図１５】第２係合突起と証紙台支持部の上下の係合突起との位置関係を示す概略的な平面図である。
【図１６】証紙台を最も正面側に引き出した状態を示す平面図である。
【発明を実施するための形態】
【００１１】
以下には、図面を参照して、本発明の実施形態について具体的に説明する。
図１は、本発明の一実施形態に係る遊技機１主要部の外観構成を示す斜視図である。図２〜図５は、それぞれ、遊技機１の背面図、右側面図、左側面図および平面図である。この実施形態では、遊技機１は、遊技盤５に向けて遊技玉を発射して遊技を行うパチンコ機である。
【００１２】
図１に示すように、遊技機１は、遊技店内に配列された島設備への取付け（設置）のための上下左右の枠からなる矩形の外枠（図示しない）と、外枠の正面側に片開き（横開き）可能に取り付けられ、数字や図柄等を表示するための可変表示装置（図示しない）等が備えられた遊技盤５を保持するための前枠（保持枠）３とを備えている。
前枠３は上下左右の枠を有し、正面形状が矩形をなしている。前枠３はたとえば合成樹脂製であり、外枠の前面側に当接する正面視矩形状の枠本体２（図６Ａ参照）と、枠本体２の内側上部に配置される上部装着部３Ａ（図６Ａ参照）と、この枠本体２の内側の下部分に配置される下部装着部３Ｂ（図６Ａ参照）とを一体に備えている。上部装着部３Ａには遊技盤５が収容保持されており、下部装着部３Ｂには、発射手段（図示しない）が収容保持されている。上部装着部３Ａの正面側には、当該部分を覆うように前扉６が取り付けられている。
【００１３】
前扉６は、前枠３の前面の左側辺の上端部および下端部にそれぞれ配設された蝶番４Ａ，４Ｂによって、蝶番４Ａ，４Ｂの回動軸まわり、すなわち前枠３の前面の左側辺まわりに回動可能に支持されている。そのため、前扉６は横開き（右開き）可能に設けられている。
前扉６には、遊技盤５に対向する位置に略円形の開口８が形成されている。この開口８は大型化しており、前扉６に対して高い比率を占めている。開口８にはガラス板などの透明板９が嵌められていて（覆われていて）、前扉６を閉じた状態（閉状態）で、その透明板９を介して、透明板９の奥側の遊技盤５を視認することができるようになっている。前扉６の前面上部には、左右一対のスピーカ１０が配設されている。前扉６の前面下部には、遊技機１の演出用に用いられる、一または複数（図１ではたとえば３つ）の演出ボタン１３が配設されている。また、前扉６の前面における開口８、スピーカ１０および演出ボタン１３が配設されている領域を除く領域には、種々の装飾ランプ１１が分散して配設されている。
【００１４】
前扉６の右下部には、前扉６を前枠３に施錠するための鍵機構１２が設けられている。この鍵機構１２では、前扉６を前枠３に対して閉じることにより施錠されるようになっている。また、鍵機構１２の鍵穴１２Ａに遊技店の店員などが鍵を挿入して所定方向に回転させることにより、鍵機構１２が解錠されて、前扉６を開けることが可能になっている。  下部装着部３Ｂの正面側には、当該部分を覆うように下部開閉板（図示しない）が取り付けられている。下部開閉板には、遊技に使用する遊技玉を貯留しておくための上皿（図示しない）と、上皿から溢れた遊技玉を、オーバーフロー路（図示しない）を通して受け止める下皿（図示しない）とが上下に並んで設けられている。また、下皿の右側には、遊技玉を遊技盤５に打ち出す際に操作されるハンドル（図示しない）が配設されている。
【００１５】
なお、図１、図３および図４では、下部開閉板の図示を省略している。それに伴って、上皿、下皿およびハンドルの図示も省略している。しかしながら、この遊技機１には、前述の通り前扉６の下方に下部開閉板が設けられており、その下部開閉板に、上皿、下皿およびハンドルが配設されている。
図２に示すように、前枠３はたとえば樹脂材料を用いて形成されていて、その中央部および右部（図２に示す左部）には窓１５が形成されている。窓１５内は、主制御基板や電源基板など種々の基板を配置するためのスペースである。
【００１６】
前枠３は、玉受け部と、玉整流部と、賞玉払出装置と、玉通路とを備えている。玉受け部は、上面が開放された箱状に形成されている。玉受け部は、この遊技機１が設置される遊技機島内の玉循環機構（図示せず）から供給された遊技玉を貯留しておくための玉受け部である。玉受け部の下部に形成された玉出口は玉整流部と連通している。玉整流部の下端は賞玉払出装置に接続されており、これにより、玉整流部に流入した遊技玉は、一列に整列して賞玉払出装置に供給されるようになっている。賞玉払出装置から払い出される遊技玉は、玉通路および前枠３の下部に形成された供給口（図示しない）を通って、賞玉または貸玉として上皿（図示しない）に払い出される。図２では、前枠３の各構成要素（玉受け部、玉整流部、賞玉払出装置、および玉通路）は図示されていない。
【００１７】
図１および図３〜図５に示すように、前扉６の前面は、透明板９よりも一段正面寄りに位置する略平坦な前面部２１（図１および図４参照）と、前扉６の右側辺部に、前扉６の右側辺に沿って配置された右辺ユニット２２と、前扉６の上辺部に、前扉６の上辺に沿って配置された上辺ユニット２０とを備えている。図１に示すように、前面部２１には、前述のスピーカ１０、装飾ランプ１１および演出ボタン１３が配設されている。
【００１８】
右辺ユニット２２の右側面には、装飾パネル２３を有する装飾パネル部２４が設けられている。この実施形態では、右辺ユニット２２における下部分２５を除く部分が装飾パネル部２４（図１および図３参照）として機能する。なお、図３にはパネル収容部３０に装飾パネル２３が収容された状態を示している。
図３および図４に示すように、右辺ユニット２２の下部分２５の前端面は、前面部２１の前面よりもやや正面側に位置する平坦面である。また、右辺ユニット２２における下部分２５を除く部分には、正面側に向けて膨出する略扁平状をなす膨出部２６が設けられている。膨出部２６は、右辺ユニット２２の上半分に相当する上部分２７と、右辺ユニット２２の上下方向の中央部に相当する中央部分２８とを備えている。上部分２７の前端面は、下部分２５の前端面よりも一定量正面側に向けて膨出し、かつ下部分２５の前端面と平行をなしている。中央部分２８の前端面は、上方に向かうに従って正面側に向かうように傾斜する傾斜面である。中央部分２８の前端面の上端部は上部分２７の前端面につながっており、また、中央部分２８の前端面の下端部は下部分２５の前端面につながっている。
【００１９】
図１および図５に示すように、上辺ユニット２０は、前扉６における上辺部のほぼ全域から、正面側に向けて膨出する略扁平状のものである。上辺ユニット２０は水平平坦面からなる上面を有しており、この上辺ユニット２０の上面は、右辺ユニット２２の上端面（膨出部２６の上端面）と同一の平面上に位置している。上辺ユニット２０の前面は緩やかな凸湾曲面に形成されている。上辺ユニット２０の左端部の正面側は後方に向けて大きく切り欠かれており、略円弧状の凹湾曲面からなる凹部２９が形成されている。たとえば、この遊技機１と同様の遊技機が複数台、横一列に並べられたときに、ある遊技機１の前扉６を開状態にしたとき、上辺ユニット２０と、その遊技機１の左隣の遊技機１の右辺ユニット２２（または、各遊技機１の左隣にある台間機（図示しない））とが干渉しないように、この凹部２９が形成されている。上辺ユニット２０の前面の右端部は、右辺ユニット２２の上部分２７の前端面と同一平面を有している。
【００２０】
図３に示すように、装飾パネル部２４は、装飾パネル２３と、装飾パネル２３を外部から視認可能に収容保持するためのパネル収容部３０とを備えている。装飾パネル２３は、パネル収容部３０に対し着脱可能に設けられている。パネル収容部３０は上下方向に長手を有する扁平箱状をなしている。
図６Ａは、図１に示す遊技機１主要部から前扉６を取り除いた状態を示す正面図である。
【００２１】
遊技盤５は、ベニヤ板の合板等により略矩形状に形成されている。遊技盤５の盤面（前面）には、中央部に略円形の遊技領域Ｓが設定されている。この遊技領域Ｓの周縁には、発射手段（図示しない）から発射された遊技玉を、遊技領域Ｓの左側上部に導くための略円弧状のガイドレール３１が配設されている。また、ガイドレール３１に対向して内レール３２が配設されている。内レール３２の先端は遊技領域Ｓの上部まで延びていて、発射手段により発射された遊技玉は、内レール３２とガイドレール３１との間を通って遊技領域Ｓの左側上部へと導かれる。遊技領域Ｓには、液晶表示装置を含む構成のセンター役物３３、多数本の障害釘（図示しない）、入賞役物（図示しない）、通過ゲート（図示しない）等の各種遊技部品が配設されている。遊技領域Ｓの左側上部からガイドレール３１および内レール３２に沿って右斜め上方に向けて放たれた遊技玉は、遊技盤５の盤面に沿って多数本の障害釘の間を通って流下していく。
【００２２】
前枠３は、枠本体２上板の内側に位置する上支持枠２０１、下部装着部３Ｂの上縁側に位置する下支持枠２０２、枠本体２左縦板の内側に位置する左支持枠２０３、および枠本体２右縦板の内側に位置する右支持枠２０４によって矩形枠状に形成されている。支持枠２０１〜２０４内に遊技盤５を収容保持することができるようになっている。前枠３は、当該前枠３に対して遊技盤５を前方から着脱することが可能なように形成されている。
【００２３】
また、前枠３の前端面またはその周囲には、前枠３に前側から装着された遊技盤５を離脱可能に固定するための遊技盤ロック部材１００Ａ，１００Ｂが、上下一対に配設されている。遊技盤ロック部材１００Ａは、たとえば上支持枠２０１の右上端部近傍に配設されている。遊技盤ロック部材１００Ｂは、たとえば下支持枠２０２の右上端部近傍に配設されている。また、遊技盤（ベニヤ盤）５には、これら遊技盤ロック部材１００Ａ，１００Ｂに対応してたとえば外縁側に内向き凹入状の切欠部１０１Ａ，１０１Ｂが形成されている。この実施形態では、切欠部１０１Ａは遊技盤５の右上隅に形成されており、また、切欠部１０１Ｂは遊技盤５の右下隅に形成されている。
【００２４】
各遊技盤ロック部材１００Ａ，１００Ｂは、たとえば、前後方向に延びる所定の回転軸線まわりに回転可能に設けられたロック爪を備えている。
各遊技盤ロック部材１００Ａ，１００Ｂのロック爪を回転させて、遊技盤５の切欠部１０１Ａ，１０１Ｂ周辺の前面にロック爪を突出させて、遊技盤５（ベニヤ盤）の前面とロック爪とを係合させることにより、遊技盤５を支持枠２０１〜２０４内（下部装着部３Ｂ）にロックさせることができる。一方、遊技盤ロック部材１００Ａ，１００Ｂのロック爪を回転させて、遊技盤５の切欠部１０１Ａ，１０１Ｂ周辺の前面からロック爪を退避させることにより、遊技盤５（ベニヤ盤）とロック爪との係合を解除することができ、これにより、遊技盤５を支持枠２０１〜２０４内（下部装着部３Ｂ）から離脱させることが可能になる。なお、遊技盤ロック部材１００Ａ，１００Ｂの構成については、たとえば特開２００８-２８９５４１号に詳細に説明されているので、本明細書では、遊技盤ロック部材１００Ａ，１００Ｂの詳細な構成は省略する。また、遊技盤ロック部材１００Ａ，１００Ｂは、遊技盤５の前面と係合する構成に限られず、遊技盤５の端面などに形成された係合溝との係合により遊技盤５の脱落防止が図られた構成であってもよいのは言うまでもない。
【００２５】
このような遊技機１では、上部装着部３Ａにおいて、遊技盤５の側方に遊技盤ロック部材１００Ａ，１００Ｂを配設する必要がある。上部装着部３Ａの大きさには制約があるので、遊技盤ロック部材１００Ａ，１００Ｂの配設スペースを確保するために、遊技盤５の正面視の大きさに制約が生じることが考えられる。その一方で、近年の遊技機（パチンコ機）では、遊技盤５の遊技領域Ｓをできるだけ広面積にすることが求められている。
【００２６】
この実施形態では、下方の遊技盤ロック部材１００Ｂの前方（すなわち遊技盤５の右下隅）に、次に述べる証紙台（証紙部材）３５を配置した。いわゆるデッドスペースである遊技盤ロック部材１００Ｂの前方に証紙台３５を配置したので、遊技盤５の前面に証紙台３５を配置する場合と比較して、遊技盤５の盤面のスペースの有効活用を図ることができる。
【００２７】
遊技盤５の盤面における遊技領域Ｓの下方および右方には、右コーナー飾り３４が配設されている。右コーナー飾り３４の右下部には、遊技機１の機械番号等を表示した証紙を貼着するための正面視矩形状の証紙台３５が設けられている。前述したように、証紙台３５の背面側には、遊技盤ロック部材１００Ｂが設けられている。また、遊技盤５の盤面における遊技領域Ｓの上方および左方には、左コーナー飾り３６が配設されている。遊技領域Ｓのほぼ全周は、これら右および左コーナー飾り３４，３６によって取り囲まれている。右および左コーナー飾り３４，３６は、それぞれ、樹脂材料を用いて形成された装飾部材であり、互いに組み付けられた状態で遊技盤５の盤面に圧入固定またはネジ止めされている。
【００２８】
図６Ｂは右コーナー飾り３４の正面図である。図６Ｂでは、証紙台３５（図６Ａ参照）を取り外した状態を示している。
右コーナー飾り３４は、前扉６の前面の右部に設けられる（遊技領域Ｓの右縁を区画する）右区画部材３７と、前扉６の前面の下部に設けられる（遊技領域Ｓの下縁を区画する）下区画部材３８とを備えている。右区画部材３７の下部を除く部分は、略円状の遊技領域Ｓの右縁部に沿う略円弧状をなしている。右区画部材３７の左側辺は、ガイドレール３１の右部分を構成している。右区画部材３７の下部は、上下方向に延びる直線状をなしている。
【００２９】
下区画部材３８の右部を除く部分は、遊技領域Ｓの下縁部に沿う略円弧状をなしている。下区画部材３８の上辺はガイドレール３１の下部分を構成しており、その左右方向の途中部には、遊技盤５の下側に形成されたアウト口（図示しない）を取り囲むアウト口周縁部４０が一体的に形成されている。下区画部材３８の右端部は、右方向に向かうに従って上方に向かうように傾斜する直線状の接続部分７５を介して、右区画部材３７の下端部につながっている。
【００３０】
右コーナー飾り３４の下区画部材３８の右側辺の後面には、証紙台３５（図６Ａ参照）を回動自在に支持するための証紙台支持部（証紙部材支持部）３９が取り付けられている。
図６Ｃは、右コーナー飾り３４の要部背面図である。
下区画部材３８には、証紙台支持部３９の後述する上および下係合突起４４，４５にそれぞれロック係合するための上下一対の係合孔１０３，１０４（図１３等も併せて参照）が、前後に貫通して形成されている。この上および下係合突起４４，４５（図９Ａ等参照）に係合孔１０３，１０４がそれぞれロック係合することにより、下区画部材３８に対する証紙台３５（図６Ａ参照）の固定が達成される。なお、下区画部材３８には、後方に向けて突出する補強用のリブが多数本設けられている。
【００３１】
図６Ｄは、図６Ｃに示す切断面線Ｄ-Ｄから見た断面図である。
図６Ｃおよび図６Ｄに示すように、下区画部材３８の右端部の後面には、証紙台３５（図６Ａ参照）を支持するための上下一対の飾り側支持部１０５，１０６を備えている。上および下飾り側支持部１０５，１０６は、上下方向に間隔を空けて配置されている。上および下飾り側支持部１０５，１０６は、鉛直面からなる後面１０５Ａ，１０６Ａを有している。飾り側支持部１０５，１０６の各後面１０５Ａ，１０６Ａには、半円筒溝を有する飾り側軸受け部１０７，１０８がそれぞれ形成されている。飾り側軸受け部１０７，１０８の半円筒溝は、所定の鉛直軸線を中心として形成されており、前方に向けて凹んだ半円筒面を有している。飾り側軸受け部１０７は、対応する上軸部５９（図１１等参照）の周面の前半分領域を受け、後述する支持部側軸受け部４９とともに証紙台３５の上軸部５９を回転可能に支持している。また、飾り側軸受け部１０８は、対応する下軸部６０（図１１等参照）の周面の前半分領域を受け、後述する支持部側軸受け部５０とともに証紙台３５の下軸部６０を回転可能に支持している。
【００３２】
図７は、証紙台３５および証紙台支持部３９の拡大正面図である。図８は、図７の切断面線VIII-VIIIから見た断面図である。図９Ａは、証紙台支持部３９をその右斜め下から
見た斜視図である。図９Ｂは、証紙台支持部３９をその右斜め上から見た斜視図である。図７は、証紙台支持部３９を図９Ｂに示す矢視VIIから見ていることになる。
証紙台支持部３９は、前面が開放した略箱状をなしている。証紙台支持部３９は、前後方向に直交する矩形の奥底板４１と、奥底板４１の右辺から正面側に突出する矩形の右側板４２と、奥底板４１の左辺から正面側に突出する矩形の左側板４３と、奥底板４１の上辺から正面側に突出する板状の上係合突起４４と、奥底板４１の下辺から正面側に突出する板状の下係合突起４５とを備えている。右側板４２の前端縁は、左側板４３の前端面（前端縁）よりも後方に位置している。上係合突起４４は、奥底板４１の上辺から正面側に突出する板状の突出片４４Ａと当該突出片４４Ａの先端から上方に張り出す係合爪４４Ｂとを備えている。下係合突起４５は、それぞれ奥底板４１の下辺からそれぞれ正面側に突出する板状の突出片４５Ａと突出片４５Ａの先端から下方に張り出す係合爪４５Ｂとを備えている。上および下係合突起４４，４５の前端（係合爪４４Ｂ，４５Ｂの前端）は前後方向に関して、左側板４３の前端面に揃っている。上および下係合突起４４，４５の係合爪４４Ｂ，４５Ｂが右コーナー飾り３４の係合孔１０３，１０４（図１３等参照）にそれぞれロック係合することにより、上および下係合突起４４，４５と係合孔１０３，１０４（図１３等参照）と強固に係合し、これにより、証紙台支持部３９の右コーナー飾り３４に対する取付け固定が達成される。
【００３３】
証紙台支持部３９は、証紙台３５を支持するための上下一対の支持板４７，４８を備えている。上および下支持板４７，４８は、上下方向に間隔を空けて互いに水平に延びており、それぞれ右側板４２と左側板４３とを連結する支持板である。
上支持板４７の下面には、上係合突起１０９が一体的に形成されている。上係合突起１０９は前後方向に延びており、その前端部は、所定の鉛直軸線を中心とする、前方に凸の半円筒面状からなる上係合面１１１を有している。上係合突起１０９の上係合面１１１は、後述する第２係合突起６７に係合可能に設けられている。
【００３４】
下支持板４８の上面には、下係合突起１１０が一体的に形成されている。下係合突起１１０は前後方向に延びており、その前端部は、所定の鉛直軸線を中心とする、前方に凸の半円筒面状からなる下係合面１１２を有している。下係合突起１１０の下係合面１１２は、後述する第２係合突起６８に係合可能に設けられている。
上および下支持板４７，４８は、それぞれ前後方向に関して右側板４２の前端面と略同一の鉛直面上にある前端面を有している。上および下支持板４７，４８の各前端面には、半円筒溝を有する支持部側軸受け部４９，５０がそれぞれ形成されている。証紙台支持部３９の右コーナー飾り３４に対する取付け状態で、支持部側軸受け部４９，５０の半円筒溝は、所定の鉛直軸線を中心として形成されており、後方に向けて凹んだ半円筒面を有している。
【００３５】
証紙台３５の後述する軸部５９，６０がそれぞれ支持部側軸受け部４９，５０に受けられる。具体的には、支持部側軸受け部４９は、上軸部５９の周面の後ろ半分領域だけを受け、飾り側軸受け部１０７とともに証紙台３５の上軸部５９を回転可能に支持している。また、支持部側軸受け部５０は、下軸部６０の周面の後ろ半分領域だけを受け、飾り側軸受け部１０８とともに証紙台３５の下軸部６０を回転可能に支持している。
【００３６】
右側板４２の前端面には、証紙台３５を閉位置に配置したときに、証紙台３５のアーム５７，５８と干渉しないように、凹み５１が形成されている。
図１０、図１１および図１２は、それぞれ、証紙台３５の構成を示す図である。図１０は斜視図であり、図１１は背面図であり、図１２は底面図である。
証紙台３５は、証紙（図示しない）を貼着するための矩形板状の証紙貼着板５３と、証紙貼着板５３の背面に形成され、略四角環状をなす枠部５４（図１１参照）と、枠部５４の基端部に設けられ、証紙台３５を証紙台支持部３９に回動自在に取り付けるための取付け部５５と、枠部５４の先端部に設けられ、前扉６の後面と当接するための当接用突部５２とを備えている。証紙貼着板５３、枠部５４、取付け部５５および当接用突部５２は、合成樹脂材料を用いて一体に形成されている。
【００３７】
証紙貼着板５３の前面は、平坦な鉛直面からなる貼着面５６である。証紙（図示しない）には、遊技機１の機種情報として、当該遊技機１の機械番号、製造情報および製造業者名が記載されている。また、遊技機１の製造情報として、製造業者および製造年月をそれぞれ記号で表わした製造情報を例示することができる。
取付け部５５は、枠部５４の左辺部から左方に向けて突出する水平板状の上下一対のアーム５７，５８と、上側のアーム５７の上面から上方に向けて突出する円筒突起状の上軸部５９と、下側のアーム５８の下面から下方に向けて突出する円筒突起状の下軸部６０とを備えている。
【００３８】
上軸部５９は、その前半分が、右コーナー飾り３４の飾り側軸受け部１０７（図６Ｃおよび図６Ｄ参照）の半円筒溝によって受けられており、その後ろ半分が、証紙台支持部３９の支持部側軸受け部４９（図９Ｂ等参照）の半円筒溝によって受けられている。そして、この上軸部５９は双方の半円筒溝に挟まれつつ、当該双方の半円筒溝によって前後方向に（比較的軽く）押圧されている。
【００３９】
下軸部６０は、その前半分が、右コーナー飾り３４の飾り側軸受け部１０８（図６Ｃ等参照）の半円筒溝によって受けられており、その後ろ半分が、証紙台支持部３９の支持部側軸受け部５０（図９Ｂ等参照）の半円筒溝によって受けられている。そして、この下軸部６０は双方の半円筒溝に挟まれつつ、当該双方の半円筒溝によって前後方向に（比較的軽く）押圧されている。
【００４０】
換言すると、証紙台３５は、上下の支持部側軸受け部４９，５０および上下の飾り側軸受け部１０７，１０８によって、支持部側軸受け部４９，５０の半円筒溝および飾り側軸受け部１０７，１０８の半円筒溝で区画される円筒溝の中心まわりに（すなわち、一対の軸部５９，６０を通る鉛直軸線まわりに）回動自在に支持されている。
さらに換言すると、証紙台３５は、上下の支持部側軸受け部４９，５０と、上下の飾り側軸受け部１０７，１０８によって挟持されている。これにより、右コーナー飾り３４（証紙台支持部３９）からの証紙台３５の脱落を未然に防止することができる。
【００４１】
ゆえに、右コーナー飾り３４および証紙台支持部３９によって証紙台３５が回転自在に支持されるとともに、その右コーナー飾り３４および証紙台支持部３９と、証紙台３５との結合を強固にすることができる。
アーム５７，５８はそれぞれ溝（後述する）７３，７４を通って、右コーナー飾り３４を前後方向に横断している。
【００４２】
当接用突部５２は、枠部５４の上辺部に連続して、当該上辺部よりも先端側に突出している。当接用突部５２の先端部には、当接用突部５２の先端側の端面と、当接用突部５２の後端面とを接続するテーパ面からなる当接面５２Ａが形成されている。当接面５２Ａは、証紙台３５の先端部（自由端部）の後面に配置されている。当接面５２Ａは鉛直方向に沿って延びる平坦面であり、平面視で、貼着面５６の延長面と約４５°をなして交差している。
【００４３】
証紙貼着板５３の上端面には、当該上端面を覆うとともにその前辺から正面側に少量だけ突出する突条６１が形成されている。突条６１の上面（すなわち証紙台３５の上端面）には、基端部（図１０で示す左奥側）と先端部（図１０で示す右手前側）との中間部分に、上方に突出する第１係合突起（ロック構造）６２が形成されている。第１係合突起６２は、貼着面５６に直交する断面形状が上に凸の三角状をなしており、正面側の係合面６３と、奥側の係合面６４とを備えている。これら係合面６３，６４と、突条６１の上面（水平面）とのなす角度はそれぞれたとえば２０〜３０°である。この第１係合突起６２は、証紙台３５が閉位置にある状態で、後述する第１係合凹部（ロック構造）６５（図１３および図１４参照）と対向する部分に形成されている。証紙台３５が閉位置にある状態では、第１係合突起６２と係合凹部６５とが係合する。
【００４４】
また、各アーム５７，５８の基端には、先端側とは反対側に向けて突出する円筒状の第２係合突起６７，６８が形成されている。これら一対の第２係合突起６７，６８は小突起であり、互いに同等の諸元を有している。
図１３は、証紙台３５が閉位置にあるときの証紙台３５の周辺の拡大斜視図である。図１４は、図１３の切断面線XIV-XIVから見た断面図である。図１５は、第２係合突起６７，６８と証紙台支持部３９の上下の係合突起１０９，１１０との位置関係を示す概略的な平面図である。図１５（ａ）は証紙台３５を正面側に最も引き出した状態（最大の引出し状態）を示し、図１５（ｂ）は証紙台３５を閉じ動作させている状態を示している。
【００４５】
図６Ｂ、図１３および図１４を参照して、右コーナー飾り３４の前面の右下部には、前側部分には、証紙台３５を収容するための収容空間７２が形成されている。接続部分７５によって、収容空間７２の背面の一部が区画されている。証紙台３５が閉位置にあるときは、証紙台３５が収容空間７２に収容されており、貼着面５６の前面が、右コーナー飾り３４の前面（すなわち遊技盤５の前面）と略同一面上に位置している。証紙台３５は、右開き可能に設けられている。
【００４６】
下区画部材３８には、当該下区画部材３８の右側辺から、この右側辺と直交する方向に入り込んだ長尺の上下一対の溝７３，７４が形成されている。各溝７３，７４は下区画部材３８の前後面を貫通している。各溝７３，７４の上下幅は、アーム５７，５８の上下厚みよりも若干大きく設定されている。各溝７３，７４は、証紙台３５を閉位置から正面側に引き出すときに、証紙台３５のアーム５７，５８が溝７３，７４に嵌って下区画部材３８に干渉しないように設けられている。また、溝７３，７４の底部（左底部）は、正面側に引き出された証紙台３５のアーム５７，５８の前端面と当接して、証紙台３５の引出し角度を規制している。この溝７３，７４の深さ（溝７３，７４の左底部の位置）は、証紙台３５を最大の引出し角度（後述するα）以上正面側に引き出せないように設定されている。
【００４７】
右区画部材３７の下端面には、第１係合突起６２と係合するための係合凹部６５が形成されている。係合凹部６５は、右区画部材３７の下端面における前後方向の途中部から接続部分７５の前面上部にわたって形成されている。証紙台３５が閉位置にあるときは、第１係合突起６２が係合凹部６５に嵌合する。
図１３に示す状態から、作業者が証紙台３５に対し、この証紙台３５を正面側に引き出すように力を加えることにより、第１係合突起６２と係合凹部６５との係合は解除される。具体的には、第１係合突起６２の係合面６３が、右区画部材３７の下端面における係合凹部６５の前方部分を乗り越える。第１係合突起６２の係合面６３が、下区画部材３８の下端面（水平面）とのなす角度はたとえば２０〜３０°であるので、第１係合突起６２（係合面６３）と係合凹部６５との係合は強固ではない。そのため、比較的弱い力でこれらの係合を解除することができる。これにより、証紙台３５を閉位置から正面側へと引き出すことができる。証紙台３５は、閉位置から正面側に引き出された状態で、軸部５９，６０を中心として回転自在な状態とされる。
【００４８】
図１６は、証紙台３５を最も正面側に引き出した状態（最大の引出し状態）を示す平面図である。前述のように、この遊技機１では、証紙台３５の引出し角度が規制されている。この実施形態では、証紙台３５の最大の引出し角度（証紙台３５の貼着面５６の、遊技盤５の前面（および右コーナー飾り３４の前面）に対する引出し角度）αが８８°に設定されている。
【００４９】
また、見方を変えると、前扉６と証紙台３５とが当接している状態における、当該前扉６の先端側から基端側に向かう方向と、証紙台３５の先端側から基端側に向かう方向とがなす角度βが７７°程度をなしている。このとき、前述のように、証紙台３５は回転自在とされている。
図１５（ａ）に示すように、証紙台３５の引出し角度が最大（α）になる状態（最大の引出し状態）で、上下の係合突起１０９，１１０と、第２係合突起６７，６８とが係合する。換言すると、上下の係合突起１０９，１１０および第２係合突起６７，６８の相対位置は、証紙台３５の最大の引出し状態で係合するように設定されている。そして、上下の係合突起１０９，１１０と、第２係合突起６７，６８との係合により、証紙台３５は、最大の引出し状態に保持（維持）される。
【００５０】
なお、この実施形態では、上下の係合突起１０９，１１０の各係合面１１１，１１２は、証紙台３５の各アーム５７，５８の姿勢変化によらずに、常時各アーム５７，５８の先端部に接触している。各アーム５７，５８の姿勢変化によらずに、各係合面１１１，１１２と各アーム５７，５８の先端部とが接触できるように、各アーム５７，５８の先端部の先端面は、図１５（ａ），（ｂ）に示すように、第２係合突起６７，６８が形成される部分を除いて半円筒面に形成されている。
【００５１】
ところで、遊技機１において、遊技盤５の交換やメンテナンス後には、引出し状態にある証紙台３５をまず閉じ、証紙台３５が閉じた後に前扉６の閉動作を行う必要がある。しかしながら、引出し状態にある証紙台３５をいちいち閉じるのは面倒であり、そのため、証紙台３５に対して個別の閉動作を行うことなく、前扉６を前枠３に対して閉じることができることが望ましい。
【００５２】
証紙台３５が最も引き出された状態（図１６に示す状態）で、作業者が、開けられている前扉６を閉じるために前扉６を奥側へ向けて回動させると（前扉６の閉動作が行われると）、前扉６の後面が証紙台３５の当接面５２Ａに当接する。この状態で、当接面５２Ａは前扉６の後面に沿っており、そのため、前扉６の後面と当接面５２Ａの全域とが当接するようになる。
【００５３】
このとき、前記の角度βが７７°程度であるので、前扉６と証紙台３５の当接面５２Ａとの当接により、証紙台３５に対して、平面視で反時計回り（図１６に示す時計回り）の押圧力（すなわち回転トルク）が作用する。このとき、図１５（ｂ）に示すように、上下の係合突起１０９，１１０と、第２係合突起６７，６８との係合が解除される。具体的には、各第２係合突起６７，６８が、対応する上下の係合突起１０９，１１０の係合面１１１，１１２を乗り越える。これにより、証紙台３５は、上軸部５９および下軸部６０をそれぞれ中心として平面視で反時計回りに回動可能になる。その後、前扉６の閉動作に連動して、証紙台３５が閉位置に向けて回動する。
【００５４】
そして、前扉６が前枠３に対して閉じられる。前扉６が閉じられることにより、鍵機構１２（図１参照）が施錠される。
また、前扉６が閉じられるのと略同等のタイミングで、証紙台３５も閉位置に配置される。具体的には、前扉６との当接によって勢い付けられた証紙台３５では、第１係合突起６２（係合面６４）が、下区画部材３８の下端面における係合凹部６５の前方部分を乗り越えて係合凹部６５と係合する。第１係合突起６２の係合面６４が、下区画部材３８の下端面（水平面）とのなす角度はたとえば２０〜３０°であるので、第１係合突起６２は比較的容易に、下区画部材３８の下端面における係合凹部６５の前方部分を乗り越えることができる。証紙台３５が閉位置にあるときは、第１係合突起６２と係合凹部６５との係合により、証紙台３５は、閉位置にある状態に保持される。
【００５５】
以上にようにこの実施形態では、前扉６の閉動作に証紙台３５が干渉せず、ゆえに、前扉６を確実に閉じることができる。
以上、この発明の一実施形態について説明したが、この発明は他の形態で実施することもできる。
たとえば、証紙台支持部３９が配設される右コーナー飾り３４の下区画部材３８が、右区画部材３７と一体形成された構成を例に挙げたが、下区画部材３８は右区画部材３７と分離した状態で設けられていてもよい。また、証紙台支持部３９を右区画部材３７に取り付けることもできる。この場合、前述の実施形態のように下区画部材３８が右区画部材３７と一体的に設けられてもよいし、また下区画部材３８が右区画部材３７と分離された状態で設けられていてもよい。
【００５６】
また、証紙台支持部３９を右コーナー飾り３４とは別部材に設けたが、右コーナー飾り３４と一体に設けるものであってもよい。
また、証紙台３５の一対のアーム５７，５８が右コーナー飾り３４に当接することにより、証紙台３５の引出し角度が規制される構成を取り上げたが、また、証紙台３５のアーム５７，５８が、右コーナー飾り３４ではなく、証紙台支持部３９（たとえば左側板４３の右面）に当接することにより、証紙台３５の引出し角度が規制されてもよい。また、証紙台３５の証紙貼着板５３（の前面）が証紙台支持部３９や右コーナー飾り３４に当接することにより、証紙台３５の引出し角度が規制されるようになっていてもよい。その他、証紙台３５の引出し角度を規制するための機構を別途備える構成であってもよい。
【００５７】
また、本発明の一実施形態では、遊技機１としてパチンコ機を例に挙げて説明したが、本発明はパチンコ機に限らず、パチスロ機等の他の遊技機にも適用可能である。
本発明は、以上の実施形態の内容に限定されるものではなく、特許請求の範囲内において種々の変更が可能である。
その他、特許請求の範囲に記載された事項の範囲で種々の設計変更を施すことが可能である。
【符号の説明】
【００５８】
１  遊技機
３  前枠（保持枠）
５  遊技盤
６  前扉
３５  証紙台（証紙部材）
３９  証紙台支持部（証紙部材支持部）
５６  貼着面（証紙部材の前面）
６２  第１係合突起（ロック構造）
６５  第１係合凹部（ロック構造）
【図１】
2014131610.tif 000003
【図２】
2014131610.tif 000004
【図３】
2014131610.tif 000005
【図４】
2014131610.tif 000006
【図５】
2014131610.tif 000007
【図６Ａ】
2014131610.tif 000008
【図６Ｂ】
2014131610.tif 000009
【図６Ｃ】
2014131610.tif 000010
【図６Ｄ】
2014131610.tif 000011
【図７】
2014131610.tif 000012
【図８】
2014131610.tif 000013
【図９Ａ】
2014131610.tif 000014
【図９Ｂ】
2014131610.tif 000015
【図１０】
2014131610.tif 000016
【図１１】
2014131610.tif 000017
【図１２】
2014131610.tif 000018
【図１３】
2014131610.tif 000019
【図１４】
2014131610.tif 000020
【図１５】
2014131610.tif 000021
【図１６】
2014131610.tif 000022